(57)【特許請求の範囲】
【請求項１】
測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する処理部を備えた測定データ処理装置であって、
前記処理部は、前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、
前記第２の処理において前記候補値のなかからいずれかの前記ピーク値を前記Ｎ個のピーク値の１つとして特定したときに、予め規定された除外基準を満たす前記ピーク値を当該候補値から除外する際に、
前記Ｎ個のピーク値の１つとして正の値の前記ピーク値を特定し、かつ特定した当該ピーク値の前記成分値を含む予め規定された成分値範囲内に正の値の前記ピーク値が存在するときには、当該成分値範囲内の当該正の値のピーク値を、前記除外基準を満たすピーク値として前記候補値から除外すると共に、
前記Ｎ個のピーク値の１つとして負の値の前記ピーク値を特定し、かつ特定した当該ピーク値の前記成分値を含む前記成分値範囲内に負の値の前記ピーク値が存在するときには、当該成分値範囲内の当該負の値のピーク値を、前記除外基準を満たすピーク値として前記候補値から除外する測定データ処理装置。
【請求項２】
測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する処理部を備えた測定データ処理装置であって、
前記処理部は、前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、
前記第２の処理において前記候補値のなかからいずれかの前記ピーク値を前記Ｎ個のピーク値の１つとして特定したときに、予め規定された除外基準を満たす前記ピーク値を当該候補値から除外する際に、
前記Ｎ個のピーク値の１つとして正の値の前記ピーク値を特定し、かつ特定した当該ピーク値の前記成分値である第１の成分値と、当該第１の成分値よりも小さい前記成分値の前記ピーク値のうちの当該特定したピーク値との差が予め規定された値を超えている正の値の当該ピーク値のなかで前記成分値が当該第１の成分値に最も近い当該ピーク値の当該成分値、および前記第１の成分値よりも小さい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第１の成分値範囲内に正の値の前記ピーク値が存在するときには、当該第１の成分値範囲内の当該正の値のピーク値を、前記除外基準を満たすピーク値として前記候補値から除外し、
前記Ｎ個のピーク値の１つとして正の値の前記ピーク値を特定し、かつ前記第１の成分値と、当該第１の成分値よりも大きい前記成分値の前記ピーク値のうちの当該特定したピーク値との差が前記予め規定された値を超えている正の値の当該ピーク値のなかで前記成分値が当該第１の成分値に最も近い当該ピーク値の当該成分値、および前記第１の成分値よりも大きい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第２の成分値範囲内に正の値の前記ピーク値が存在するときには、当該第２の成分値範囲内の当該正の値のピーク値を、前記除外基準を満たすピーク値として前記候補値から除外すると共に、
前記Ｎ個のピーク値の１つとして負の値の前記ピーク値を特定し、かつ特定した当該ピーク値の前記成分値である第２の成分値と、当該第２の成分値よりも小さい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも小さい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第３の成分値範囲内に負の値の前記ピーク値が存在するときには、当該第３の成分値範囲内の当該負の値のピーク値を、前記除外基準を満たすピーク値として前記候補値から除外し、
前記Ｎ個のピーク値の１つとして負の値の前記ピーク値を特定し、かつ前記第２の成分値と、当該第２の成分値よりも大きい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも大きい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第４の成分値範囲内に負の値の前記ピーク値が存在するときには、当該第４の成分値範囲内の当該負の値のピーク値を、前記除外基準を満たすピーク値として前記候補値から除外する測定データ処理装置。
【請求項３】
測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する測定データ処理方法であって、
前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、
前記第２の処理において前記候補値のなかからいずれかの前記ピーク値を前記Ｎ個のピーク値の１つとして特定したときに、予め規定された除外基準を満たす前記ピーク値を当該候補値から除外する際に、
前記Ｎ個のピーク値の１つとして正の値の前記ピーク値を特定し、かつ特定した当該ピーク値の前記成分値を含む予め規定された成分値範囲内に正の値の前記ピーク値が存在するときには、当該成分値範囲内の当該正の値のピーク値を、前記除外基準を満たすピーク値として前記候補値から除外すると共に、
前記Ｎ個のピーク値の１つとして負の値の前記ピーク値を特定し、かつ特定した当該ピーク値の前記成分値を含む前記成分値範囲内に負の値の前記ピーク値が存在するときには、当該成分値範囲内の当該負の値のピーク値を、前記除外基準を満たすピーク値として前記候補値から除外する測定データ処理方法。
【請求項４】
測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する測定データ処理方法であって、
前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、
前記第２の処理において前記候補値のなかからいずれかの前記ピーク値を前記Ｎ個のピーク値の１つとして特定したときに、予め規定された除外基準を満たす前記ピーク値を当該候補値から除外する際に、
前記Ｎ個のピーク値の１つとして正の値の前記ピーク値を特定し、かつ特定した当該ピーク値の前記成分値である第１の成分値と、当該第１の成分値よりも小さい前記成分値の前記ピーク値のうちの当該特定したピーク値との差が予め規定された値を超えている正の値の当該ピーク値のなかで前記成分値が当該第１の成分値に最も近い当該ピーク値の当該成分値、および前記第１の成分値よりも小さい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第１の成分値範囲内に正の値の前記ピーク値が存在するときには、当該第１の成分値範囲内の当該正の値のピーク値を、前記除外基準を満たすピーク値として前記候補値から除外し、
前記Ｎ個のピーク値の１つとして正の値の前記ピーク値を特定し、かつ前記第１の成分値と、当該第１の成分値よりも大きい前記成分値の前記ピーク値のうちの当該特定したピーク値との差が前記予め規定された値を超えている正の値の当該ピーク値のなかで前記成分値が当該第１の成分値に最も近い当該ピーク値の当該成分値、および前記第１の成分値よりも大きい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第２の成分値範囲内に正の値の前記ピーク値が存在するときには、当該第２の成分値範囲内の当該正の値のピーク値を、前記除外基準を満たすピーク値として前記候補値から除外すると共に、
前記Ｎ個のピーク値の１つとして負の値の前記ピーク値を特定し、かつ特定した当該ピーク値の前記成分値である第２の成分値と、当該第２の成分値よりも小さい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも小さい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第３の成分値範囲内に負の値の前記ピーク値が存在するときには、当該第３の成分値範囲内の当該負の値のピーク値を、前記除外基準を満たすピーク値として前記候補値から除外し、
前記Ｎ個のピーク値の１つとして負の値の前記ピーク値を特定し、かつ前記第２の成分値と、当該第２の成分値よりも大きい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも大きい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第４の成分値範囲内に負の値の前記ピーク値が存在するときには、当該第４の成分値範囲内の当該負の値のピーク値を、前記除外基準を満たすピーク値として前記候補値から除外する測定データ処理方法。
【発明の詳細な説明】
【技術分野】
【０００１】
本発明は、測定データに記録されている各測定値のなかからピーク値を特定してピーク値データを生成する測定データ処理装置および測定データ処理方法に関するものである。
【背景技術】
【０００２】
例えば、下記の特許文献には、音声の音質を評価する音質評価装置の発明が開示されている。この音質評価装置による音質の評価に際しては、まず、マイクロホンによって音声を集音する。この際には、マイクロホンからアナログの電気信号が出力され、この電気信号がＡ／Ｄ変換器によってデジタル信号に変換されてデータ記憶器に保存される。次いで、データ記憶器に保存されているデジタル信号をピーク検出部によって処理することにより、マイクロホンによって集音された音声の音質を評価する。
【０００３】
具体的には、周波数分析部がデータ記憶器に保存されているデジタル信号を対象とする周波数分析処理を実行し、音圧検出部が周波数分析部によって分析された各周波数毎の音圧（測定値）を検出し、かつピーク判定部が音圧検出部によって検出された各周波数毎の測定値（音圧）のなかからピーク値を検出する。これにより、検出されたピーク値が低周波のときには、低周波の重苦しい音質の騒音が生じていると評価され、検出されたピーク値が高周波のときには、高周波の甲高い音質の騒音が生じていると評価される。なお、この音質評価装置では、上記のピーク検出部による各処理と並行して、パワースペクトル平均値算出部によるパワースペクトルの演算処理、重み関数重畳処理、およびそれらの処理結果に基づく音質の評価処理や、うるささ評価値演算部による「うるささ」の評価処理などが実行されるが、音質評価装置による評価方法の概要に関する理解を容易とするために、それらの処理についての説明を省略する。
【先行技術文献】
【特許文献】
【０００４】
【特許文献１】特開平１０−２６７７４２号公報（第４−６頁、第１−９図）
【発明の概要】
【発明が解決しようとする課題】
【０００５】
ところが、従来の音質評価装置には、以下の解決すべき問題点が存在する。すなわち、従来の音質評価装置では、マイクロホンによって集音した音声に対応するデジタル信号における各周波数毎の測定値のなかからピーク値を検出し、検出したピーク値の周波数がどのような周波数であるかに基づいて、どのような騒音が生じているかを評価する構成が採用されている。
【０００６】
この場合、この種の装置による音質の評価時には、低周波から高周波まで各種周波数の騒音が複数同時に発生していることがある。しかしながら、従来の音質評価装置では、音圧検出部によって検出された各周波数毎の測定値（音圧）のなかから１つのピーク値（最大値）を検出し、検出したピーク値の周波数に基づいて音質を評価する構成が採用されている。このため、従来の音質評価装置では、例えば、低周波の騒音および高周波の騒音の２種類の騒音が発生している状態において低周波の騒音の測定値（音圧）が高周波の騒音の測定値（音圧）よりも低いときには、低周波の騒音に対応するピーク値が検出されず、結果として、高周波の騒音だけが発生している（低周波の騒音が発生していない）と誤って評価されるという問題点がある。
【０００７】
一方、音圧検出部によって検出された各周波数毎の測定値のなかから測定値の絶対値が大きい複数のピーク値を順次検出し、検出した各ピーク値の周波数に基づいてどのような種類の騒音が生じているかを評価するように音質評価装置を改良することにより、低周波から高周波までの各種周波数の騒音が複数同時に発生している状態において、それらの騒音をそれぞれ検出することが可能となる。しかしながら、騒音の種類によっては、その音圧（測定値）が常に所定の測定値を超える状態ではなく、小刻みに変化することがある。この場合、従来の音質評価装置では、１回の集音結果（１個のデジタル信号）に基づいて音質を評価している。このため、従来の音質評価装置を改良して複数のピーク値を検出するようにしたとしても、マイクロホンによる集音（デジタル信号の生成）に際して測定値（音圧）が小さくなっていた騒音を検出することができない。
【０００８】
また、上記のような改良を加えた音質評価装置において、測定値の小刻みな変化に起因する騒音の検出漏れ（ピーク値の検出漏れ）を回避すべく、集音およびピーク値の検出をある程度の時間に亘って繰り返し実行するように音質評価装置をさらに改良したとしても、例えば、低周波の騒音および高周波の騒音の２種類が発生しているときに、いずれか一方の騒音だけしか発生していないと誤って評価されるおそれがある。
【０００９】
具体的には、一例として、デジタル信号の生成（測定対象成分である各周波数毎の音圧を示す測定データの生成）およびピーク値の検出を３回繰り返したときには、図１４に示すように、１回目の集音によって生成されたデジタル信号に基づいてピーク値Ｐ１−１ｘ，Ｐ１−２ｘが検出され、２回目の集音によって生成されたデジタル信号に基づいてピーク値Ｐ２−１ｘ，Ｐ２−２ｘが検出され、３回目の集音によって生成されたデジタル信号に基づいてピーク値Ｐ３−１ｘ，Ｐ３−２ｘが検出されることがある。この場合、集音された音声に含まれている騒音は、その測定値（音圧）や周波数が変化するため、同図に示す例では、高周波の騒音のピーク値Ｐ１−１ｘ〜Ｐ３−１ｘの測定値および周波数が小刻みに変動し、かつ低周波の騒音のピーク値Ｐ１−２ｘ〜Ｐ３−２ｘの測定値および周波数が変動している。
【００１０】
このような検出結果に基づき、例えば、周波数が相違する２種類の騒音を検出すべく、測定値が大きい２つのピーク値を順次特定したときには、ピーク値Ｐ１−１ｘ，Ｐ３−１ｘの２つが特定されることとなる。この場合、ピーク値Ｐ１−１ｘ，Ｐ３−１ｘは、いずれも高周波の騒音が集音されたことで検出されるピーク値である。このため、同図に示す例では、低周波の騒音が発生しており、これに起因してピーク値Ｐ１−２ｘ〜Ｐ３−２ｘが検出されているにも拘わらず、高周波の騒音だけが発生していたと誤って評価されることとなる。このため、従来の音質評価装置を改良した装置においても、集音した音声の音質を正しく評価することができない。
【００１１】
なお、発明が解決しようとする課題についての理解を容易とするために、音質を評価する音質評価装置の例について説明したが、この音質評価装置に存在する上記の問題点は、順次出力される複数の測定データに記録されている各測定値のなかから複数のピーク値を特定してピーク値データを生成する各種の測定データ処理装置においても同様に発生する。
【００１２】
本発明は、かかる解決すべき問題点に鑑みてなされたものであり、複数の測定データに基づいて複数のピーク値を特定する際に測定対象成分の成分値が互いに相違する各種のピーク値を好適に特定し得る測定データ処理装置および測定データ処理方法を提供することを主目的とする。
【課題を解決するための手段】
【００１３】
上記目的を達成すべく請求項１記載の測定データ処理装置は、測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する処理部を備えた測定データ処理装置であって、前記処理部は、前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、前記第２の処理において前記候補値のなかからいずれかの前記ピーク値を前記Ｎ個のピーク値の１つとして特定したときに、予め規定された除外基準を満たす前記ピーク値を当該候補値から除外する際に、前記Ｎ個のピーク値の１つとして正の値の前記ピーク値を特定し、かつ特定した当該ピーク値の前記成分値を含む予め規定された成分値範囲内に正の値の前記ピーク値が存在するときには、当該成分値範囲内の当該正の値のピーク値を、前記除外基準を満たすピーク値として前記候補値から除外すると共に、前記Ｎ個のピーク値の１つとして負の値の前記ピーク値を特定し、かつ特定した当該ピーク値の前記成分値を含む前記成分値範囲内に負の値の前記ピーク値が存在するときには、当該成分値範囲内の当該負の値のピーク値を、前記除外基準を満たすピーク値として前記候補値から除外する。
【００１５】
また、請求項２記載の測定データ処理装置は、測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する処理部を備えた測定データ処理装置であって、前記処理部は、前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、前記第２の処理において前記候補値のなかからいずれかの前記ピーク値を前記Ｎ個のピーク値の１つとして特定したときに、予め規定された除外基準を満たす前記ピーク値を当該候補値から除外する際に、前記Ｎ個のピーク値の１つとして正の値の前記ピーク値を特定し、かつ特定した当該ピーク値の前記成分値である第１の成分値と、当該第１の成分値よりも小さい前記成分値の前記ピーク値のうちの当該特定したピーク値との差が予め規定された値を超えている正の値の当該ピーク値のなかで前記成分値が当該第１の成分値に最も近い当該ピーク値の当該成分値、および前記第１の成分値よりも小さい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第１の成分値範囲内に正の値の前記ピーク値が存在するときには、当該第１の成分値範囲内の当該正の値のピーク値を、前記除外基準を満たすピーク値として前記候補値から除外し、前記Ｎ個のピーク値の１つとして正の値の前記ピーク値を特定し、かつ前記第１の成分値と、当該第１の成分値よりも大きい前記成分値の前記ピーク値のうちの当該特定したピーク値との差が前記予め規定された値を超えている正の値の当該ピーク値のなかで前記成分値が当該第１の成分値に最も近い当該ピーク値の当該成分値、および前記第１の成分値よりも大きい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第２の成分値範囲内に正の値の前記ピーク値が存在するときには、当該第２の成分値範囲内の当該正の値のピーク値を、前記除外基準を満たすピーク値として前記候補値から除外すると共に、前記Ｎ個のピーク値の１つとして負の値の前記ピーク値を特定し、かつ特定した当該ピーク値の前記成分値である第２の成分値と、当該第２の成分値よりも小さい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも小さい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第３の成分値範囲内に負の値の前記ピーク値が存在するときには、当該第３の成分値範囲内の当該負の値のピーク値を、前記除外基準を満たすピーク値として前記候補値から除外し、前記Ｎ個のピーク値の１つとして負の値の前記ピーク値を特定し、かつ前記第２の成分値と、当該第２の成分値よりも大きい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも大きい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第４の成分値範囲内に負の値の前記ピーク値が存在するときには、当該第４の成分値範囲内の当該負の値のピーク値を、前記除外基準を満たすピーク値として前記候補値から除外する。
【００１６】
また、請求項３記載の測定データ処理方法は、測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する測定データ処理方法であって、前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、前記第２の処理において前記候補値のなかからいずれかの前記ピーク値を前記Ｎ個のピーク値の１つとして特定したときに、予め規定された除外基準を満たす前記ピーク値を当該候補値から除外する際に、前記Ｎ個のピーク値の１つとして正の値の前記ピーク値を特定し、かつ特定した当該ピーク値の前記成分値を含む予め規定された成分値範囲内に正の値の前記ピーク値が存在するときには、当該成分値範囲内の当該正の値のピーク値を、前記除外基準を満たすピーク値として前記候補値から除外すると共に、前記Ｎ個のピーク値の１つとして負の値の前記ピーク値を特定し、かつ特定した当該ピーク値の前記成分値を含む前記成分値範囲内に負の値の前記ピーク値が存在するときには、当該成分値範囲内の当該負の値のピーク値を、前記除外基準を満たすピーク値として前記候補値から除外する。
【００１８】
また、請求項４記載の測定データ処理方法は、測定対象成分における互いに相違する各成分値毎の測定値がそれぞれ記録された測定データに基づき、当該各測定値のなかから当該測定値の絶対値が大きい予め規定されたＮａ個以上Ｎｂ個以下の範囲内のＮ個（Ｎａは、自然数、Ｎｂは、Ｎａよりも大きい自然数）のピーク値を順次特定すると共に、特定した当該ピーク値を対応する当該成分値に関連付けてピーク値データを生成する測定データ処理方法であって、前記測定対象成分における前記各成分値の範囲が互いに等しいＭ個（Ｍは、２以上の自然数）の前記測定データに基づいて前記ピーク値データを生成する際に、当該Ｍ個の測定データ毎の前記各測定値のなかから当該測定値の絶対値が大きいＬａ個以上Ｌｂ個以下の範囲内のＬ個（Ｌａは、自然数、Ｌｂは、Ｌａよりも大きい自然数）の前記ピーク値を順次特定する第１の処理を当該Ｍ個の測定データ毎にそれぞれ実行し、かつＭ回の当該第１の処理によって特定した前記各ピーク値を候補値として当該候補値のなかから前記測定値の絶対値が大きい前記Ｎ個のピーク値を順次特定する第２の処理を実行すると共に、前記第２の処理において前記候補値のなかからいずれかの前記ピーク値を前記Ｎ個のピーク値の１つとして特定したときに、予め規定された除外基準を満たす前記ピーク値を当該候補値から除外する際に、前記Ｎ個のピーク値の１つとして正の値の前記ピーク値を特定し、かつ特定した当該ピーク値の前記成分値である第１の成分値と、当該第１の成分値よりも小さい前記成分値の前記ピーク値のうちの当該特定したピーク値との差が予め規定された値を超えている正の値の当該ピーク値のなかで前記成分値が当該第１の成分値に最も近い当該ピーク値の当該成分値、および前記第１の成分値よりも小さい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第１の成分値範囲内に正の値の前記ピーク値が存在するときには、当該第１の成分値範囲内の当該正の値のピーク値を、前記除外基準を満たすピーク値として前記候補値から除外し、前記Ｎ個のピーク値の１つとして正の値の前記ピーク値を特定し、かつ前記第１の成分値と、当該第１の成分値よりも大きい前記成分値の前記ピーク値のうちの当該特定したピーク値との差が前記予め規定された値を超えている正の値の当該ピーク値のなかで前記成分値が当該第１の成分値に最も近い当該ピーク値の当該成分値、および前記第１の成分値よりも大きい前記成分値の前記ピーク値のうちの前記Ｎ個のピーク値の他の１つとして既に特定している正の値の当該ピーク値のなかで前記成分値が当該第１の成分値に最も近い当該ピーク値の当該成分値の当該第１の成分値に近い一方との間の第２の成分値範囲内に正の値の前記ピーク値が存在するときには、当該第２の成分値範囲内の当該正の値のピーク値を、前記除外基準を満たすピーク値として前記候補値から除外すると共に、前記Ｎ個のピーク値の１つとして負の値の前記ピーク値を特定し、かつ特定した当該ピーク値の前記成分値である第２の成分値と、当該第２の成分値よりも小さい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも小さい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第３の成分値範囲内に負の値の前記ピーク値が存在するときには、当該第３の成分値範囲内の当該負の値のピーク値を、前記除外基準を満たすピーク値として前記候補値から除外し、前記Ｎ個のピーク値の１つとして負の値の前記ピーク値を特定し、かつ前記第２の成分値と、当該第２の成分値よりも大きい前記成分値の前記ピーク値のうちの当該特定したピーク値との差が前記予め規定された値を超えている負の値の当該ピーク値のなかで前記成分値が当該第２の成分値に最も近い当該ピーク値の当該成分値、および前記第２の成分値よりも大きい前記成分値の前記ピーク値のうちの前記Ｎ個のピーク値の他の１つとして既に特定している負の値の当該ピーク値のなかで前記成分値が当該第２の成分値に最も近い当該ピーク値の当該成分値の当該第２の成分値に近い一方との間の第４の成分値範囲内に負の値の前記ピーク値が存在するときには、当該第４の成分値範囲内の当該負の値のピーク値を、前記除外基準を満たすピーク値として前記候補値から除外する。
【発明の効果】
【００１９】
請求項１または２記載の測定データ処理装置、および請求項３または４記載の測定データ処理方法では、成分値の範囲が互いに等しいＭ個の測定データに基づいてピーク値データを生成する際に、Ｍ個の測定データ毎の各測定値のなかから測定値の絶対値が大きいＬａ個以上Ｌｂ個以下の範囲内のＬ個のピーク値を順次特定する第１の処理をＭ個の測定データ毎にそれぞれ実行し、かつＭ回の第１の処理によって特定した各ピーク値を候補値として候補値のなかから測定値の絶対値が大きい予め規定されたＮａ個以上Ｎｂ個以下の範囲内のＮ個のピーク値を順次特定する第２の処理を実行すると共に、第２の処理において候補値のなかからいずれかのピーク値をＮ個のピーク値の１つとして特定したときに、予め規定された除外基準を満たすピーク値を候補値から除外する。
【００２０】
したがって、請求項１または２記載の測定データ処理装置、および請求項３または４記載の測定データ処理方法によれば、複数の測定データに基づいて複数のピーク値を特定してピーク値データを生成する際に、候補値のなかで測定値の絶対値が最も大きいいずれかのピーク値がＮ個のピーク値のうちの１つとして特定されたときに、そのピーク値と成分値が殆ど変わらないピーク値が候補値から除外されてＮ個のピーク値として特定されない状態となるため、成分値が似通ったピーク値だけがＮ個のピーク値として特定される事態を招くことなく、測定データに測定値が記録されている広い成分値範囲のピーク値のなかから、成分値が互いに相違する各種のピーク値を好適に特定することができる。
【００２１】
また、請求項１記載の測定データ処理装置、および請求項３記載の測定データ処理方法によれば、候補値のなかで測定値の絶対値が最も大きいいずれかのピーク値がＮ個のピーク値のうちの１つとして特定されたときに、そのピーク値を含む成分値範囲内の成分値の他のピーク値が候補値から除外されてＮ個のピーク値として特定されない状態となるため、Ｎ個のピーク値の１つとして特定したピーク値の成分値を含む成分値範囲内の成分値のピーク値がＮ個のピーク値の他の１つとして特定される事態を確実に回避することができ、これにより、成分値が互いに相違する各種のピーク値を一層好適に特定することができる。
【００２２】
また、請求項２記載の測定データ処理装置、および請求項４記載の測定データ処理方法によれば、候補値のなかで測定値の絶対値が最も大きいいずれかのピーク値がＮ個のピーク値のうちの１つとして特定されたときに、そのピーク値との差が測定値範囲内のピーク値であって特定されたピーク値の成分値とほぼ同じ成分値のピーク値が候補値から除外されてＮ個のピーク値として特定されない状態となるため、Ｎ個のピーク値の１つとして特定したピーク値と同様の成分値で、測定値が殆ど変わらないピーク値がＮ個のピーク値の他の１つとして特定される事態を確実に回避することができ、これにより、成分値が互いに相違する各種のピーク値を一層好適に特定することができる。
【図面の簡単な説明】
【００２３】
【図１】測定装置１の構成を示す構成図である。
【図２】表示部４に表示されるピーク値表示画面１０の一例を示す表示画面図である。
【図３】測定処理によって取得される測定データＤ１の一例について説明するための説明図である。
【図４】測定処理によって取得される測定データＤ１の他の一例について説明するための説明図である。
【図５】各測定処理によって取得された各測定データＤ１に基づいて特定される各ピーク値Ｐの一例について説明するための説明図である。
【図６】特定された各ピーク値ＰのなかからＮ＝５個のピーク値Ｐのうちの１つを特定する手順について説明するための説明図である。
【図７】特定された各ピーク値ＰのなかからＮ＝５個のピーク値Ｐのうちの他の１つを特定する手順について説明するための説明図である。
【図８】特定された各ピーク値ＰのなかからＮ＝５個のピーク値Ｐのうちのさらに他の１つを特定する手順について説明するための説明図である。
【図９】Ｎ＝５個のピーク値Ｐの特定が完了した状態について説明するための説明図である。
【図１０】各測定処理によって取得された各測定データＤ１に基づいて特定される各ピーク値Ｐの他の一例について説明するための説明図である。
【図１１】特定された各ピーク値ＰのなかからＮ＝２個のピーク値Ｐのうちの１つを特定する手順について説明するための説明図である。
【図１２】特定された各ピーク値ＰのなかからＮ＝２個のピーク値Ｐのうちの他の１つを特定する手順について説明するための説明図である。
【図１３】Ｎ＝２個のピーク値Ｐの特定が完了した状態について説明するための説明図である。
【図１４】従来の音質評価装置を改良した装置における各集音処理によって取得された音圧データに基づいて特定される各ピーク値の一例について説明するための説明図である。
【発明を実施するための形態】
【００２４】
以下、測定データ処理装置および測定データ処理方法の実施の形態について、添付図面を参照して説明する。
【００２５】
図１に示す測定装置１は、「測定データ処理装置」の一例であって、評価対象のマイクロホン（図示せず）を用いて基準音声（ホワイトノイズ等）を集音した測定データＤ０に基づいて「測定データ」の一例である測定データＤ１を生成し、生成した測定データＤ１に基づき、マイクロホンの特性を評価可能なピーク値データＤ３（「ピーク値データ」の一例）を生成する処理を実行可能に構成されている。この測定装置１は、測定部２、操作部３、表示部４、制御部５および記憶部６を備えて構成されている。
【００２６】
測定部２は、制御部５の制御に従い、評価対象のマイクロホンによって集音した音声のアナログ信号を予め規定された周期でデジタル信号に変換して測定データＤ０を生成する測定処理を実行する。この場合、本例の測定装置１では、測定部２が、上記の測定処理において、マイクロホンによって集音された音声のうち、周波数：１０００Ｈｚ〜３０００Ｈｚの範囲内の各周波数毎の音声の音圧レベルを記録した測定データＤ０を生成する構成が採用されている。
【００２７】
操作部３は、測定装置１の動作条件の設定操作や、測定部２による上記の測定処理を開始／停止させる操作などが可能な複数の操作スイッチを備え（図示せず）、スイッチ操作に応じた操作信号を制御部５に出力する。表示部４は、制御部５の制御に従い、動作条件の設定画面や、測定結果を示す測定結果表示画面（いずれも図示せず）、および後述するように制御部５によって特定されるピーク値を示すピーク値表示画面１０（図２参照）などを表示する。
【００２８】
制御部５は、測定装置１を総括的に制御する。具体的には、制御部５は、操作部３からの操作信号に応じて測定部２を制御して上記の測定処理を実行させると共に、測定部２から出力される測定データＤ０を記憶部６に順次記憶させる。また、制御部５は、測定部２から測定データＤ０が出力される都度、その測定データＤ０と、基準値データＤｘ（一例として、基準のマイクロホンを介して基準音声を集音することで予め生成された測定データＤ０）とに基づき、「基準値データＤｘに記録されている各周波数毎の音圧レベル（基準音圧レベル）」に対する「測定データＤ０に記録されている各周波数毎の音圧レベル（評価対象のマイクロホンの出力信号に基づいて特定される音圧レベル）」の相対値（相対音圧レベル）を各周波数毎に演算し、演算結果を測定データＤ１として記録して記憶部６に順次記憶させる。
【００２９】
この場合、上記の測定データＤ１は、「測定データ」の一例であって、基準値データＤｘに記録されている基準音圧レベルを「０ｄＢ」とし、基準値データＤｘに記録されている基準音圧レベルよりも大きな値を正の値とし、かつ基準値データＤｘに記録されている基準音圧レベルよりも小さな値を負の値として、周波数：１０００Ｈｚ〜３０００Ｈｚの範囲内（「測定対象成分」が音声周波数で、「成分値」が１０００Ｈｚ〜３０００Ｈｚの例）の各周波数毎の相対音圧レベル（「互いに相違する各成分値毎の測定値」の一例）が記録されている。
【００３０】
また、制御部５は、「処理部」に相当し、記憶部６に記憶させた各測定データＤ１に基づき、一例として、各測定データＤ１に記録されている各測定値のなかから測定値の絶対値が大きい１個以上５個以下の範囲内のピーク値（Ｌａ＝１個、Ｌｂ＝５個、Ｌ＝１〜５個の例）を順次特定する「第１の処理」を各測定データＤ１毎に実行し、特定したピーク値を対応する周波数に関連付けて記録したピーク値データＤ２を生成して記憶部６に記憶させる。なお、「Ｌａ個以上Ｌｂ個以下のＬ個の範囲内のピーク値を順次特定する」との処理は、「ピーク値」として特定し得る測定値（他の測定値よりも絶対値が十分に大きい測定値）がＬｂ個以上存在するときには、Ｌ＝Ｌｂ個のピーク値を特定し、「ピーク値」として特定し得る測定値の数がＬｂ個未満のときには、その数に応じてＬ＝Ｌａ以上（Ｌｂ−１）個以下のピーク値を特定することを意味する。
【００３１】
さらに、制御部５は、各ピーク値データＤ２に記録した各ピーク値のなかから１個以上５個以下の範囲内のピーク値（Ｎａ＝１個、Ｎｂ＝５個、Ｎ＝１〜５個の例）を特定する「第２の処理」を実行し、特定したピーク値を対応する周波数に関連付けて記録したピーク値データＤ３を生成して記憶部６に記憶させると共に、図２に示すピーク値表示画面１０に、特定したピーク値（同図において「相対音圧レベル」）および対応する周波数（同図において「ピーク周波数」）を表示させる。
【００３２】
この場合、「Ｎａ個以上Ｎｂ個以下のＮ個の範囲内のピーク値を順次特定する」との処理は、「ピーク値」として特定し得る候補値（他の候補値よりも測定値の絶対値が十分に大きい候補値）がＮｂ個以上存在するときには、Ｎ＝Ｎｂ個のピーク値を特定し、「ピーク値」として特定し得る候補値の数がＮｂ個未満のときには、その数に応じてＮ＝Ｎ以上（Ｎｂ−１）個以下のピーク値を特定することを意味する。また、制御部５は、一例として、評価装置（一例として、パーソナルコンピュータ）からの送信要求に応じてピーク値データＤ３を評価装置に出力する。記憶部６は、基準値データＤｘ、測定データＤ０，Ｄ１およびピーク値データＤ２，Ｄ３や、制御部５の動作プログラムなどを記憶する。
【００３３】
この測定装置１によるピーク値データＤ３の生成処理に際しては、まず、評価対象のマイクロホンを測定部２に接続して基準音声を集音させる。具体的には、操作部３の測定開始スイッチが操作されたときに、制御部５が、測定部２を制御して測定処理を開始させる。また、測定部２は、マイクロホンによって集音した音声のデジタル信号に基づき、予め規定された周期で各周波数毎の音声の音圧レベルを測定して測定データＤ０を生成し、生成した測定データＤ０を制御部５に出力する測定処理を繰り返し実行する。また、制御部５は、測定部２から測定データＤ０が出力される都度、測定データＤ０および基準値データＤｘに基づき、相対音圧レベルを示す測定データＤ１を生成して記憶部６に記憶させる。この際には、一例として、最初の測定処理によって測定部２から出力される測定データＤ０に基づき、各周波数毎の相対音圧レベルが図３に折線グラフＧａで示すような値の測定データＤ１が生成される。
【００３４】
また、制御部５は、生成した測定データＤ１に基づき、１個以上５個以下の範囲内のピーク値を特定する（「第１の処理」の一例）。この場合、図３や、後に参照する図４の例とは相違するが、予め規定されたレベル（一例として、±１．０ｄＢ）を超える測定値（相対音圧レベル）が４個以下のときには、制御部５は、規定レベルを超えている測定値の数に応じて１個から４個のピーク値を特定する。一方、図３に示す例のように、各周波数毎の測定値のなかに規定レベルを超える測定値（相対音圧レベル）が５個以上存在するときには、制御部５は、測定値の絶対値が大きい５個のピーク値を順次特定する。この際には、ピーク値Ｐ１−１〜Ｐ１−５（「−」の後ろの数値は、特定された順序を示す。すなわち、この数値が小さいピーク値Ｐほど測定値の絶対値が大きい値であることを示す。）の５個が順次特定され、特定された各ピーク値Ｐが、対応する周波数にそれぞれ関連付けられたピーク値データＤ２が生成されて記憶部６に記憶される。
【００３５】
また、測定部２による２回目の測定処理時には、各周波数毎の相対音圧レベルが図４に折線グラフＧｂで示すような値の測定データＤ１が生成される。また、制御部５は、最初の測定データＤ１のときと同様にして、１個以上５個以下の範囲内のピーク値を特定する（「第１の処理」の他の一例）。この際には、ピーク値Ｐ２−１〜Ｐ２−５の５個が順次特定され、特定された各ピーク値Ｐが、対応する周波数にそれぞれ関連付けられたピーク値データＤ２が生成されて記憶部６に記憶される。この後、測定部２による３回目の測定処理に対応して生成される測定データＤ１に基づいてピーク値Ｐ３−１〜Ｐ３−５の５個（図５参照）が特定され、特定されたピーク値Ｐが対応する周波数に関連付けられたピーク値データＤ２が記憶部６に記憶されると共に、４回目の測定処理に対応して生成される測定データＤ１に基づいてピーク値Ｐ４−１〜Ｐ４−５の５個（図５参照）が特定され、特定されたピーク値Ｐが対応する周波数に関連付けられたピーク値データＤ２が記憶部６に記憶される。
【００３６】
この場合、一例として、周波数＝１，４００Ｈｚ程度、周波数＝１，５００Ｈｚ程度、周波数＝２，２００Ｈｚ程度、周波数＝２，５００Ｈｚ程度および周波数＝２，８００Ｈｚ程度の５種類の音について、基準のマイクロホンの特性と評価対象のマイクロホンの特定とが大きく相違しているときには、図５に示すように、各測定処理毎に、５種類の音のピーク値Ｐａ〜Ｐｅが特定される。この場合、同図に示す例では、例えば、周波数＝１，４００Ｈｚ程度のピーク値Ｐａ（ピーク値Ｐ１−１〜Ｐ４−１）の周波数および相対音圧レベルが４回の測定処理毎に小刻みに変動し、他のピーク値Ｐｂ〜Ｐｅについても、周波数および相対音圧レベルが小刻みに変動している。このため、このような状態において各測定処理毎に特定されるＬ＝５個のピーク値Ｐ（ピーク値データＤ２の値）をピーク値表示画面１０に表示させたり、評価装置に出力したりしたときには、測定部２から新たな測定データＤ０が出力される周期（測定データＤ１が生成される周期）で、ピーク値表示画面１０の表示値が小刻みに変動し、また、評価装置においても、評価対象のマイクロホンの特性が、どのような周波数でどの程度相違しているかを評価するのが困難となる。
【００３７】
したがって、本例の測定装置１では、複数の測定データＤ１に基づいてＮａ＝１個以上Ｎｂ＝５個以下のＮ個のピーク値Ｐを特定する際に、制御部５が、上記の各「第１の処理」によって特定した各ピーク値Ｐ（ピーク値データＤ２に記録したピーク値Ｐ）を候補値とし、その候補値のなかから測定値の絶対値が大きいＮ個のピーク値を順次特定する「第２の処理」を以下のように実行する。なお、実際には、さらに多数個のピーク値データＤ２に基づいて下記の「第２の処理」が実行されるが、「第２の処理」の手順に関する理解を容易とするために、以下、一例としてＭ＝４回の「第１の処理」によって生成されたＭ＝４個のピーク値データＤ２に基づいて「第２の処理」を実行する例について説明する。
【００３８】
具体的には、制御部５は、図５に示すように、Ｍ＝４回の「第１の処理」によってピーク値Ｐ１−１〜Ｐ１−５，Ｐ２−１〜Ｐ２−５，Ｐ３−１〜Ｐ３−５，Ｐ４−１〜Ｐ４−５がそれぞれ特定された状態において、これらの各ピーク値Ｐを候補値として、候補値のなかから測定値の絶対値が大きいＮａ＝１個以上Ｎｂ＝５個以下の範囲内のＮ個のピーク値Ｐを順次特定する。
【００３９】
この場合、同図に示す例では、図６に示すように、測定値（相対音圧レベル）の絶対値が最も大きいピーク値Ｐ２−１がＮ個のピーク値Ｐのうちの最初の１つとして特定される。また、Ｎ個のピーク値Ｐの１つとして正の値のピーク値Ｐ２−１を特定した本例では、制御部５は、特定したピーク値Ｐ２−１の周波数（この例では、１３９８Ｈｚ）を含む予め規定された周波数範囲Ｈａ内（「成分値範囲内」の一例：一例として、特定したピーク値Ｐの周波数を中心とする±２５０Ｈｚの範囲内）に他の正の値のピーク値Ｐが存在するか否かを判別する。この際に、ピーク値Ｐ２−１の周波数：１３９８Ｈｚを中心とする周波数範囲Ｈａ内には、ピーク値Ｐ１−１，Ｐ３−１，Ｐ４−１の３個が存在するため、制御部５は、このピーク値Ｐ１−１，Ｐ３−１，Ｐ４−１（「予め規定された除外基準を満たすピーク値」の一例）を、Ｎ個のピーク値Ｐの他の１つを特定する際の候補値から除外する。
【００４０】
なお、同図および後に参照する図７，８では、Ｎ個のピーク値Ｐの１つとして特定されたピーク値Ｐを太線で図示すると共に、候補値から除外したピーク値Ｐを破線で示している。この場合、本例の測定装置１では、同図に示すように、Ｎ個のピーク値Ｐの１つとして正の値のピーク値Ｐを特定したときに、特定したピーク値Ｐの周波数を中心とする周波数範囲Ｈａ内に負の値のピーク値Ｐが存在したとしても、その負の値のピーク値Ｐを候補値から除外せずに、周波数範囲Ｈａ内の正の値のピーク値Ｐだけを候補値から除外する。
【００４１】
また、ピーク値Ｐ１−１，Ｐ３−１，Ｐ４−１が候補値から除外された状態では、図７に示すように、候補値のなかで測定値（相対音圧レベル）の絶対値が最も大きいピーク値Ｐ１−２がＮ個のピーク値Ｐのうちの２個目として特定される。また、Ｎ個のピーク値Ｐの１つとして負の値のピーク値Ｐ１−２を特定した本例では、制御部５は、特定したピーク値Ｐ１−２の周波数（この例では、２７７１Ｈｚ）を含む周波数範囲Ｈａ内に他の負の値のピーク値Ｐが存在するか否かを判別する。この際に、ピーク値Ｐ１−２の周波数：２７７１Ｈｚを中心とする周波数範囲Ｈａ内には、ピーク値Ｐ２−２〜Ｐ４−２の３個が存在するため、制御部５は、このピーク値Ｐ２−２〜Ｐ４−２（「予め規定された除外基準を満たすピーク値」の他の一例）を、Ｎ個のピーク値Ｐのさらに他の１つを特定する際の候補値から除外する。
【００４２】
この場合、図７の例とは相違するが、本例の測定装置１では、Ｎ個のピーク値Ｐの１つとして負の値のピーク値Ｐを特定したときに、特定したピーク値Ｐの周波数を中心とする周波数範囲Ｈａ内に正の値のピーク値Ｐが存在したとしても、その正の値のピーク値Ｐを候補値から除外せずに、周波数範囲Ｈａ内の正の負のピーク値Ｐだけを候補値から除外する。
【００４３】
さらに、ピーク値Ｐ２−２〜Ｐ４−２が候補値から除外された状態では、図８に示すように、候補値のなかで測定値（相対音圧レベル）の絶対値が最も大きいピーク値Ｐ１−３がＮ個のピーク値Ｐのうちの３個目として特定される。また、Ｎ個のピーク値Ｐの１つとして負の値のピーク値Ｐ１−３を特定した本例では、制御部５は、特定したピーク値Ｐ１−３の周波数（この例では、１４７２Ｈｚ）を含む周波数範囲Ｈａ内に他の負の値のピーク値Ｐが存在するか否かを判別する。この際に、ピーク値Ｐ１−３の周波数：１４７２Ｈｚを中心とする周波数範囲Ｈａ内には、ピーク値Ｐ２−４，Ｐ３−３，Ｐ４−３の３個が存在するため、制御部５は、このピーク値Ｐ２−４，Ｐ３−３，Ｐ４−３（「予め規定された除外基準を満たすピーク値」のさらに他の一例）を、Ｎ個のピーク値Ｐのさらに他の１つを特定する際の候補値から除外する。
【００４４】
この後、上記のピーク値Ｐ２−１，Ｐ１−２，Ｐ１−３の特定処理と同様にして、４個目のピーク値Ｐおよび５個目のピーク値Ｐが特定される。これにより、図９に示すように、ピーク値Ｐ２−１，Ｐ１−２，Ｐ１−３，Ｐ４−４，Ｐ１−５のＮｂ＝Ｎ＝５個のピーク値Ｐの特定が完了する。次いで、制御部５は、特定した５個のピーク値Ｐを対応する周波数に関連付けて記録してピーク値データＤ３を生成し、生成したピーク値データＤ３を記憶部６に記憶させる。以上により、「第２の処理」が完了する。この後、制御部５は、図２に示すように、ピーク値データＤ３に記録した各ピーク値Ｐおよびその周波数をピーク値表示画面１０に表示させる。また、一例として、評価装置からの送信要求があったときに、制御部５は、記憶部６に記憶させているピーク値データＤ３を評価装置に送信する。これにより、評価装置において、評価対象のマイクロホンの特性が評価される。
【００４５】
このように、この測定装置１、および測定装置１による測定データ処理方法では、周波数の範囲が互いに等しいＭ個の測定データＤ１に基づいてピーク値データＤ３を生成する際に、Ｍ個の測定データＤ１毎の各測定値のなかから測定値の絶対値が大きいＬａ個以上Ｌｂ個以下の範囲内のＬ個のピーク値Ｐを順次特定する「第１の処理」をＭ個の測定データＤ１毎にそれぞれ実行し、かつＭ回の「第１の処理」によって特定した各ピーク値Ｐを候補値として候補値のなかから測定値の絶対値が大きい予め規定されたＮａ個以上Ｎｂ個以下の範囲内のＮ個のピーク値Ｐを順次特定する「第２の処理」を実行すると共に、「第２の処理」において候補値のなかからいずれかのピーク値ＰをＮ個のピーク値Ｐの１つとして特定したときに、予め規定された除外基準を満たすピーク値Ｐを候補値から除外する。
【００４６】
したがって、この測定装置１、および測定装置１による測定データ処理方法によれば、複数の測定データＤ１に基づいて複数のピーク値Ｐを特定してピーク値データＤ３を生成する際に、候補値のなかで測定値の絶対値が最も大きいいずれかのピーク値ＰがＮ個のピーク値Ｐのうちの１つとして特定されたときに、そのピーク値Ｐと周波数が殆ど変わらないピーク値Ｐが候補値から除外されてＮ個のピーク値Ｐとして特定されない状態となるため、周波数が似通ったピーク値ＰだけがＮ個のピーク値Ｐとして特定される事態を招くことなく、測定データＤ１に測定値が記録されている低い周波数から高い周波数までの広い周波数範囲のピーク値Ｐのなかから、周波数が互いに相違する各種のピーク値Ｐを好適に特定することができる。
【００４７】
また、この測定装置１、および測定装置１による測定データ処理方法では、「第２の処理」において、Ｎ個のピーク値Ｐの１つとして正の値のピーク値Ｐを特定したときに、特定したピーク値Ｐの周波数を含む予め規定された周波数範囲Ｈａ内に正の値のピーク値Ｐが存在するときには、その周波数範囲Ｈａ内の正の値のピーク値Ｐを、除外基準を満たすピーク値Ｐとして候補値から除外し、かつＮ個のピーク値Ｐの１つとして負の値のピーク値Ｐを特定したときに、特定したピーク値Ｐの周波数を含む周波数範囲Ｈａ内に負の値のピーク値Ｐが存在するときには、その周波数範囲Ｈａ内の負の値のピーク値Ｐを、除外基準を満たすピーク値Ｐとして候補値から除外する。
【００４８】
したがって、この測定装置１、および測定装置１による測定データ処理方法によれば、候補値のなかで測定値の絶対値が最も大きいいずれかのピーク値ＰがＮ個のピーク値Ｐのうちの１つとして特定されたときに、そのピーク値Ｐを含む周波数範囲Ｈａ内の周波数の他のピーク値Ｐが候補値から除外されてＮ個のピーク値Ｐとして特定されない状態となるため、Ｎ個のピーク値Ｐの１つとして特定したピーク値Ｐの周波数を含む周波数範囲Ｈａ内の周波数のピーク値ＰがＮ個のピーク値Ｐの他の１つとして特定される事態を確実に回避することができ、これにより、周波数が互いに相違する各種のピーク値Ｐを一層好適に特定することができる。
【００４９】
次いで、「測定データ処理装置」および「測定データ処理方法」の他の実施形態について説明する。なお、上記の測定装置１の構成および測定装置１による処理手順と同様の事項については、重複する説明を省略する。
【００５０】
前述した測定装置１では、「第２の処理」において、複数の測定データＤ１に基づいて特定した各ピーク値ＰのなかからＮ個のピーク値Ｐのうちの１つを特定したときに、特定したピーク値Ｐの周波数を中心とする周波数範囲Ｈａ内の周波数のピーク値Ｐが存在するときには、そのピーク値Ｐを「除外基準を満たすピーク値」として候補値から除外する構成・方法を採用しているが、「第２の処理」において候補値から除外するピーク値Ｐ（除外基準を満たすピーク値）は、上記の構成・方法における周波数範囲Ｈａ内の周波数のピーク値Ｐに限定されない。なお、以下の説明において、「第１の処理」の処理手順（ピーク値データＤ２の生成手順）については、上記の測定装置１による「第１の処理」と同様のため、一例として、Ｍ＝６回の「第１の処理」によってＭ＝６個のピーク値データＤ２が記憶部６に既に記憶された状態において実行する「第２の処理」について説明する。
【００５１】
具体的には、一例として、Ｍ＝６回の「第１の処理」により、Ｌａ＝１以上Ｌｂ＝２以下のＬ個のピーク値Ｐを各「第１の処理」においてそれぞれ特定することにより、図１０に示すように、１回目の「第１の処理」によってピーク値Ｐ１−１，Ｐ１−２のＬ＝２個のピーク値Ｐが特定され、２回目の「第１の処理」によってピーク値Ｐ２−１，Ｐ２−２のＬ＝２個のピーク値Ｐが特定され、３回目の「第１の処理」によってピーク値Ｐ３−１，Ｐ３−２のＬ＝２個のピーク値Ｐが特定され、４回目の「第１の処理」によってピーク値Ｐ４−１，Ｐ４−２のＬ＝２個のピーク値Ｐが特定され、５回目の「第１の処理」によってピーク値Ｐ５−１，Ｐ５−２のＬ＝２個のピーク値Ｐが特定され、６回目の「第１の処理」によってピーク値Ｐ６−１，Ｐ６−２のＬ＝２個のピーク値Ｐが特定されたものとする。この際に、制御部５は、Ｍ＝６回の「第１の処理」によって特定したピーク値Ｐ１−１〜Ｐ６−１，Ｐ１−２〜Ｐ６−２のＬ＝１２個を候補値として、候補値のなかから、測定値の絶対値が大きいＮａ＝１個以上Ｎｂ＝２個以下の範囲内のＮ個のピーク値Ｐを順次特定する。
【００５２】
この場合、同図に示す例では、図１１に示すように、測定値（相対音圧レベル）の絶対値が最も大きいピーク値Ｐ６−１がＮ個のピーク値Ｐのうちの最初の１つとして特定される。また、Ｎ個のピーク値Ｐの１つとして正の値のピーク値Ｐ６−１を特定した本例では、制御部５は、特定したピーク値Ｐ６−１の周波数（「第１の成分値」の一例：以下、「第１の周波数」ともいう）と、「第１の周波数」よりも低い周波数のピーク値Ｐ（「成分値が小さいピーク値」：この例では、ピーク値Ｐ２−１，Ｐ３−１）のうちの特定したピーク値Ｐ６−１との差が測定値範囲Ｈｂ（「予め規定された値」の一例）を超えている正の値のピーク値Ｐのなかで周波数が「第１の周波数」に最も近いピーク値Ｐ（本例では、測定値の差が測定値範囲Ｈｂを超えるピーク値Ｐがピーク値Ｐ３−１の１個だけのため、ピーク値Ｐ３−１）の周波数との間の周波数範囲Ｈａ１（「第１の成分値範囲」の一例）内に正の値のピーク値Ｐが存在するか否かを判別する。
【００５３】
この際には、周波数範囲Ｈａ１内に正の値のピーク値Ｐ２−１が存在するため、制御部５は、このピーク値Ｐ２−１（「予め規定された除外基準を満たすピーク値」の一例）を、Ｎ個のピーク値Ｐの他の１つを特定する際の候補値から除外する。なお、本例とは相違するが、上記の周波数範囲Ｈａ１内に負の値のピーク値Ｐが存在したとしても、この測定装置１では、周波数範囲Ｈａ１内の負の値のピーク値Ｐを候補値から除外せずに、周波数範囲Ｈａ１内の正の値のピーク値Ｐだけを候補値から除外する。この場合、本例では、ピーク値Ｐ３−１を候補値から除外しないが、このピーク値Ｐ３−１は、Ｎ個のピーク値Ｐの１つとして直前に特定したピーク値Ｐ６−１との差が測定値範囲Ｈｂを超えて小さいピーク値Ｐのため、このピーク値Ｐ３−１が、その後に、Ｎ個のピーク値Ｐの他の１つとして特定される可能性は極めて低い。
【００５４】
また、本例とは相違するが、一例として、上記の例におけるピーク値Ｐ３−１よりもやや低い周波数のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ３−１のうちの周波数がピーク値Ｐ６−１に近いピーク値Ｐ（この例では、ピーク値Ｐ３−１）の周波数と、ピーク値Ｐ６−１の周波数との間の周波数範囲を「第１の成分値範囲」として、この「第１の成分値範囲」に含まれる周波数の正の値のピーク値Ｐが存在するか否かを判別すると共に、存在するときには、その正の値のピーク値Ｐだけを候補値から除外する。
【００５５】
さらに、一例として、上記の例におけるピーク値Ｐ３−１よりも高い周波数で、かつピーク値Ｐ６−１の周波数よりも低い周波数のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ３−１のうちの周波数がピーク値Ｐ６−１に近いピーク値Ｐ（この例では、既に特定されているピーク値Ｐ）の周波数と、ピーク値Ｐ６−１の周波数との間の周波数範囲を「第１の成分値範囲」として、この「第１の成分値範囲」に含まれる周波数の正の値のピーク値Ｐが存在するか否かを判別すると共に、存在するときには、その正の値のピーク値Ｐだけを候補値から除外する。
【００５６】
また、Ｎ個のピーク値Ｐの１つとして正の値のピーク値Ｐ６−１を特定した本例では、制御部５は、特定したピーク値Ｐ６−１の周波数である「第１の周波数」と、「第１の周波数」よりも高い周波数のピーク値Ｐ（「成分値が大きいピーク値」：この例では、ピーク値Ｐ１−１，Ｐ５−１，Ｐ４−１）のうちの特定したピーク値Ｐ６−１との差が測定値範囲Ｈｂを超えている正の値のピーク値Ｐのなかで周波数が「第１の周波数」に最も近いピーク値Ｐ（本例では、測定値の差が測定値範囲Ｈｂを超えるピーク値Ｐがピーク値Ｐ４−１の１個だけのため、ピーク値Ｐ４−１）の周波数との間の周波数範囲Ｈａ２（「第２の成分値範囲」の一例）内に正の値のピーク値Ｐが存在するか否かを判別する。
【００５７】
この際には、周波数範囲Ｈａ１内に正の値のピーク値Ｐ１−１，Ｐ５−１が存在するため、制御部５は、このピーク値Ｐ１−１，Ｐ５−１（「予め規定された除外基準を満たすピーク値」の他の一例）を、Ｎ個のピーク値Ｐの他の１つを特定する際の候補値から除外する。この際に、本例では、上記の周波数範囲Ｈａ２内に負の値のピーク値Ｐが存在しているが、この測定装置１では、周波数範囲Ｈａ２内の負の値のピーク値Ｐを候補値から除外せずに、周波数範囲Ｈａ２内の正の値のピーク値Ｐだけを候補値から除外する。この場合、本例では、ピーク値Ｐ４−１を候補値から除外しないが、このピーク値Ｐ４−１も、Ｎ個のピーク値Ｐの１つとして直前に特定したピーク値Ｐ６−１との差が測定値範囲Ｈｂを超えて小さいピーク値Ｐのため、このピーク値Ｐ４−１が、その後に、Ｎ個のピーク値Ｐの他の１つとして特定される可能性は極めて低い。
【００５８】
また、本例とは相違するが、一例として、上記の例におけるピーク値Ｐ４−１よりもやや高い周波数の正の値のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ４−１のうちの周波数がピーク値Ｐ６−１に近いピーク値Ｐ（この例では、ピーク値Ｐ４−１）の周波数と、ピーク値Ｐ６−１の周波数との間の周波数範囲を「第２の成分値範囲」として、この「第２の成分値範囲」に含まれる周波数の正の値のピーク値Ｐが存在するか否かを判別すると共に、存在するときには、その正の値のピーク値Ｐだけを候補値から除外する。
【００５９】
さらに、一例として、上記の例におけるピーク値Ｐ４−１よりも低い周波数で、かつピーク値Ｐ６−１の周波数よりも高い周波数の正の値のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ４−１のうちの周波数がピーク値Ｐ６−１に近いピーク値Ｐ（この例では、既に特定されているピーク値Ｐ）の周波数と、ピーク値Ｐ６−１の周波数との間の周波数範囲を「第２の成分値範囲」として、この「第２の成分値範囲」に含まれる周波数の正の値のピーク値Ｐが存在するか否かを判別すると共に、存在するときには、その正の値のピーク値Ｐだけを候補値から除外する。
【００６０】
一方、ピーク値Ｐ６−１がＮ＝２個のピーク値Ｐの１つとして特定され、ピーク値Ｐ２−１，Ｐ１−１，Ｐ５−１が候補値から除外された状態では、図１２に示すように、候補値のなかで測定値（相対音圧レベル）の絶対値が最も大きいピーク値Ｐ３−２がＮ個のピーク値Ｐのうちの２個目として特定される。また、Ｎ個のピーク値Ｐの１つとして負の値のピーク値Ｐ３−２を特定した本例では、制御部５は、特定したピーク値Ｐ３−２の周波数（「第２の成分値」の一例：以下、「第２の周波数」ともいう）と、「第２の周波数」よりも低い周波数のピーク値Ｐ（「成分値が小さいピーク値」：この例では、ピーク値Ｐ４−２，Ｐ１−２，Ｐ５−２）のうちの特定したピーク値Ｐ３−２との差が測定値範囲Ｈｂを超えている負の値のピーク値Ｐのなかで周波数が「第２の周波数」に最も近いピーク値Ｐ（本例では、測定値の差が測定値範囲Ｈｂを超えるピーク値Ｐがピーク値Ｐ４−２の１個だけのため、ピーク値Ｐ４−２）の周波数との間の周波数範囲Ｈａ３（「第３の成分値範囲」の一例）内に負の値のピーク値Ｐが存在するか否かを判別する。
【００６１】
この際には、周波数範囲Ｈａ３内に負の値のピーク値Ｐ１−２，Ｐ５−２が存在するため、制御部５は、このピーク値Ｐ１−２，Ｐ５−２（「予め規定された除外基準を満たすピーク値」のさらに他の一例）を、Ｎ個のピーク値Ｐの他の１つを特定する際の候補値から除外する。この際に、本例では、上記の周波数範囲Ｈａ３内に正の値のピーク値Ｐ４−１が存在しているが、この測定装置１では、周波数範囲Ｈａ３内の正の値のピーク値Ｐを候補値から除外せずに、周波数範囲Ｈａ３内の負の値のピーク値Ｐだけを候補値から除外する。
【００６２】
また、本例とは相違するが、一例として、上記の例におけるピーク値Ｐ４−２よりもやや低い周波数の負の値のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ４−２のうちの周波数がピーク値Ｐ３−２に近いピーク値Ｐ（この例では、ピーク値Ｐ４−２）の周波数と、ピーク値Ｐ３−２の周波数との間の周波数範囲を「第３の成分値範囲」として、この「第３の成分値範囲」に含まれる周波数の負の値のピーク値Ｐが存在するか否かを判別すると共に、存在するときには、その負の値のピーク値Ｐだけを候補値から除外する。
【００６３】
さらに、一例として、上記の例におけるピーク値Ｐ４−２よりも高い周波数で、かつピーク値Ｐ３−２の周波数よりも低い周波数の負の値のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ４−２のうちの周波数がピーク値Ｐ３−２に近いピーク値Ｐ（この例では、既に特定されているピーク値Ｐ）の周波数と、ピーク値Ｐ３−２の周波数との間の周波数範囲を「第３の成分値範囲」として、この「第３の成分値範囲」に含まれる周波数の負の値のピーク値Ｐが存在するか否かを判別すると共に、存在するときには、その負の値のピーク値Ｐだけを候補値から除外する。
【００６４】
また、Ｎ個のピーク値Ｐの１つとして負の値のピーク値Ｐ３−２を特定した本例では、制御部５は、特定したピーク値Ｐ３−２の周波数である「第２の周波数」と、「第２の周波数」よりも高い周波数のピーク値Ｐ（「成分値が大きいピーク値」：この例では、ピーク値Ｐ６−２，Ｐ２−２）のうちの特定したピーク値Ｐ３−２との差が測定値範囲Ｈｂを超えている負の値のピーク値Ｐのなかで周波数が「第２の周波数」に最も近いピーク値Ｐ（本例では、測定値の差が測定値範囲Ｈｂを超えるピーク値Ｐがピーク値Ｐ２−２の１個だけのため、ピーク値Ｐ２−２）の周波数との間の周波数範囲Ｈａ４（「第４の成分値範囲」の一例）内に負の値のピーク値Ｐが存在するか否かを判別する。
【００６５】
この際には、周波数範囲Ｈａ４内に負の値のピーク値Ｐ６−２が存在するため、制御部５は、このピーク値Ｐ６−２（「予め規定された除外基準を満たすピーク値」のさらに他の一例）を、Ｎ個のピーク値Ｐの他の１つを特定する際の候補値から除外する。なお、本例とは相違するが、上記の周波数範囲Ｈａ４内に正の値のピーク値Ｐが存在したとしても、この測定装置１では、周波数範囲Ｈａ４内の正の値のピーク値Ｐを候補値から除外せずに、周波数範囲Ｈａ４内の負の値のピーク値Ｐだけを候補値から除外する。
【００６６】
また、本例とは相違するが、一例として、上記の例におけるピーク値Ｐ２−２よりもやや高い周波数の負の値のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ２−２のうちの周波数がピーク値Ｐ３−２に近いピーク値Ｐ（この例では、ピーク値Ｐ２−２）の周波数と、ピーク値Ｐ３−２の周波数との間の周波数範囲を「第４の成分値範囲」として、この「第４の成分値範囲」に含まれる周波数の負の値のピーク値Ｐが存在するか否かを判別すると共に、存在するときには、その負の値のピーク値Ｐだけを候補値から除外する。
【００６７】
さらに、一例として、上記の例におけるピーク値Ｐ２−２よりも低い周波数で、かつピーク値Ｐ３−２の周波数よりも高い周波数の負の値のピーク値Ｐが存在し、そのピーク値ＰがＮ個のピーク値Ｐの他の１つとして既に特定されているときには、制御部５は、既に特定されているそのピーク値Ｐ、および上記のピーク値Ｐ２−２のうちの周波数がピーク値Ｐ３−２に近いピーク値Ｐ（この例では、既に特定されているピーク値Ｐ）の周波数と、ピーク値Ｐ６−１の周波数との間の周波数範囲を「第４の成分値範囲」として、この「第４の成分値範囲」に含まれる周波数の負の値のピーク値Ｐが存在するか否かを判別すると共に、存在するときには、その負の値のピーク値Ｐだけを候補値から除外する。
【００６８】
この場合、本例とは相違するが、Ｎ＝３個以上のピーク値Ｐを特定する際には、候補値のピーク値Ｐのなかから測定値の絶対値が大きい必要数のピーク値Ｐを順次特定する。一方、Ｎ＝２個のピーク値Ｐを特定する本例では、図１３に示すように、ピーク値Ｐ３−２，Ｐ３−１の２個が特定される。この際に、制御部５は、特定した２個のピーク値Ｐを対応する周波数に関連付けて記録してピーク値データＤ３を生成し、生成したピーク値データＤ３を記憶部６に記憶させる。以上により、「第２の処理」が完了する。この後、制御部５は、ピーク値データＤ３に記録した各ピーク値Ｐおよびその周波数をピーク値表示画面１０に表示させる（図示せず）。また、一例として、評価装置からの送信要求があったときに、制御部５は、記憶部６に記憶させているピーク値データＤ３を評価装置に送信する。これにより、評価装置において、評価対象のマイクロホンの特性が評価される。
【００６９】
このように、この測定装置１、および測定装置１による測定データ処理方法では、「第２の処理」において、Ｎ個のピーク値Ｐの１つとして正の値のピーク値Ｐを特定したときに、特定したピーク値Ｐの周波数である「第１の周波数」と、「第１の周波数」よりも低い周波数のピーク値Ｐのうちの特定したピーク値Ｐとの差が予め規定された値を超えている正の値のピーク値Ｐのなかで周波数が「第１の周波数」に最も近いピーク値Ｐの周波数、および「第１の周波数」よりも低い周波数のピーク値ＰのうちのＮ個のピーク値Ｐの他の１つとして既に特定している正の値のピーク値Ｐのなかで周波数が「第１の周波数」に最も近いピーク値Ｐの周波数の「第１の周波数」に近い一方との間の周波数範囲Ｈａ１内に正の値のピーク値Ｐが存在するときには、周波数範囲Ｈａ１内に正の値のピーク値Ｐを、除外基準を満たすピーク値Ｐとして候補値から除外し、かつ「第１の周波数」と、「第１の周波数」よりも高い周波数のピーク値Ｐのうちの特定したピーク値Ｐとの差が予め規定された値を超えている正の値のピーク値Ｐのなかで周波数が「第１の周波数」に最も近いピーク値Ｐの周波数、および「第１の周波数」よりも高い周波数のピーク値ＰのうちのＮ個のピーク値Ｐの他の１つとして既に特定している正の値のピーク値Ｐのなかで周波数が「第１の周波数」に最も近いピーク値Ｐの周波数の「第１の周波数」に近い一方との間の周波数範囲Ｈａ２内に正の値のピーク値Ｐが存在するときには、周波数範囲Ｈａ２内の正の値のピーク値Ｐを、除外基準を満たすピーク値Ｐとして候補値から除外すると共に、Ｎ個のピーク値Ｐの１つとして負の値のピーク値Ｐを特定したときに、特定したピーク値Ｐの周波数である「第２の周波数」と、「第２の周波数」よりも低い周波数のピーク値Ｐのうちの特定したピーク値Ｐとの差が予め規定された値を超えている負の値のピーク値Ｐのなかで周波数が「第２の周波数」に最も近いピーク値Ｐの周波数、および「第２の周波数」よりも高い周波数のピーク値ＰのうちのＮ個のピーク値Ｐの他の１つとして既に特定している負の値のピーク値Ｐのなかで周波数が「第２の周波数」に最も近いピーク値Ｐの周波数の「第２の周波数」に近い一方との間の周波数範囲Ｈａ３内に負の値のピーク値Ｐが存在するときには、周波数範囲Ｈａ３内の負の値のピーク値Ｐを、除外基準を満たすピーク値Ｐとして候補値から除外し、かつ「第２の周波数」と、「第２の周波数」よりも高い周波数のピーク値Ｐのうちの特定したピーク値Ｐとの差が予め規定された値を超えている負の値のピーク値Ｐのなかで周波数が「第２の周波数」に最も近いピーク値Ｐの周波数、および「第２の周波数」よりも高い周波数のピーク値ＰのうちのＮ個のピーク値Ｐの他の１つとして既に特定している負の値のピーク値Ｐのなかで周波数が「第２の周波数」に最も近いピーク値Ｐの周波数の「第２の周波数」に近い一方との間の周波数範囲Ｈａ４内に負の値のピーク値Ｐが存在するときには、周波数範囲Ｈａ４内の負の値のピーク値Ｐを、除外基準を満たすピーク値Ｐとして候補値から除外する。
【００７０】
したがって、この測定装置１、および測定装置１による測定データ処理方法によれば、候補値のなかで測定値の絶対値が最も大きいいずれかのピーク値ＰがＮ個のピーク値Ｐのうちの１つとして特定されたときに、そのピーク値Ｐとの差が測定値範囲Ｈｂ内のピーク値Ｐであって特定されたピーク値Ｐの周波数とほぼ同じ周波数のピーク値Ｐが候補値から除外されてＮ個のピーク値Ｐとして特定されない状態となるため、Ｎ個のピーク値Ｐの１つとして特定したピーク値Ｐと同様の周波数で、測定値が殆ど変わらないピーク値ＰがＮ個のピーク値Ｐの他の１つとして特定される事態を確実に回避することができ、これにより、周波数が互いに相違する各種のピーク値Ｐを一層好適に特定することができる。
【００７１】
なお、「測定データ処理装置」の構成、および「測定データ処理方法」の具体定な処理手順については、上記の測定装置１の構成およびその処理手順の例に限定されない。例えば、上記の測定装置１の構成、および測定装置１による測定データ処理方法に代えて、「第２の処理」において、Ｎ個のピーク値のうちの１つを特定した際に、特定したピーク値と成分値の差が小さい順の上位Ｋ個（Ｋは、予め規定した任意の自然数）のピーク値を「除外基準を満たすピーク値」として候補値から除外する構成・方法を採用することもできる。
【００７２】
また、正の値のピーク値Ｐ、および負の値のピーク値Ｐが存在する測定データＤ１に基づいてＮ個のピーク値Ｐを特定する構成・方法を例に挙げて説明したが、正の値のピーク値Ｐだけが存在し、負の値のピーク値Ｐが存在しない測定データＤ１や、負の値のピーク値Ｐだけが存在し、正の値のピーク値Ｐが存在しない測定データＤ１を対象とする場合であっても、上記の測定装置１による「測定データ処理方法」と同様の手順でＮ個のピーク値Ｐを特定してピーク値データＤ３を生成することができる。
【００７３】
さらに、「測定データ」の一例である測定データＤ１を生成する構成要素（本例では、制御部５）や、測定データＤ１を生成するための測定データＤ０を出力する測定部２を一体的に備えて構成した測定装置１を例に挙げて説明したが、「測定データ処理装置」の構成は、これに限定されず、外部装置としての「測定装置」において生成された「測定データ」に基づいて上記のピーク値データＤ３を生成する処理を実行可能に構成することもできる。また、生成したピーク値データＤ３を外部装置としての評価装置に送信して評価処理等を実行させる例について説明したが、上記の例における評価装置の構成（ピーク値データＤ３に基づく各種の評価処理を実行する処理部）を一体的に備えて「測定データ処理装置」を構成することもできる。
【００７４】
加えて、「測定対象成分（成分値）」としての各周波数毎に「測定値」としての音声の相対音圧レベルを記録した測定データＤ１を処理することで評価対象のマイクロホンの特性を評価可能なピーク値データＤ３を生成する構成・方法を例に挙げて説明したが、「測定データ処理装置」および「測定データ処理方法」によって処理する「測定データ」はこれに限定されず、例えば、測定対象信号に含まれるノイズの周波数毎の電流値または電圧値（「測定値」の他の一例）を記録した「測定データ（ノイズ成分を分析するための測定データ）」や、電気回路に対してインパルス状の電気信号を入力したときの信号入力時点からの経過時間（「測定対象成分」の他の一例）毎の電圧値または電流値（「測定値」の一例）の変化を記録した「測定データ（過渡応答分析用の測定データ）」などの各種の「測定データ」を対象として、上記の測定装置１による「第１の処理」および「第２の処理」と同様の処理を実行する構成・方法を採用することができる。
【００７５】
また、相対音圧レベルを例に挙げて、０ｄＢ未満の値を「負の値」とし、０ｄＢ以上の値を「正の値」として説明したが、これに限らず、絶対的に正の値を「正の値」とし、絶対的に負の値を「負の値」とすることもできる。さらに、「正の値」のみのピーク値を有する測定値を対象として本発明を適用することもできる。また、「負の値」のみのピーク値を有する測定値を対象として本発明を適用することもできる。
【符号の説明】
【００７６】
１  測定装置
２  測定部
５  制御部
６  記憶部
Ｄ０，Ｄ１  測定データ
Ｄ２，Ｄ３  ピーク値データ
Ｇａ，Ｇｂ  折線グラフ
Ｈａ，Ｈａ１〜Ｈａ４  周波数範囲
Ｈｂ  測定値範囲
Ｐ１−１〜Ｐ１−５，Ｐ２−１〜Ｐ２−５，Ｐ３−１〜Ｐ３−５，Ｐ４−１〜Ｐ４−５，Ｐ５−１，Ｐ５−２，Ｐ６−１，Ｐ６−２  ピーク値
【図１】
0006423693.tif 000002
【図２】
0006423693.tif 000003
【図３】
0006423693.tif 000004
【図４】
0006423693.tif 000005
【図５】
0006423693.tif 000006
【図６】
0006423693.tif 000007
【図７】
0006423693.tif 000008
【図８】
0006423693.tif 000009
【図９】
0006423693.tif 000010
【図１０】
0006423693.tif 000011
【図１１】
0006423693.tif 000012
【図１２】
0006423693.tif 000013
【図１３】
0006423693.tif 000014
【図１４】
0006423693.tif 000015